(57)【要約】【課題】  健康目的で身体に磁力を当てられるようにすると共に、より広い範囲に磁力線を及ぼし得るような、全く新しい磁気健康器兼用の電動マッサージ器を提供する。【解決手段】  ケーシング内に振動発生部を設けた電動マッサージ機に於いて、前記振動発生部は電磁コイルと、この中に往復振動可能に納めた振動子と、電磁コイルに交番電流を供給する発振回路とから成り、前記ケーシングに直接的にまたは間接的に触れる身体を電磁コイルから発生する交番磁界に曝すべく、ケーシングが磁力線を透過するように構成されているものとした。【選択図】図１
0003145008.tif 000002
【実用新案登録請求の範囲】
【請求項１】
ケーシング内に振動発生部を設けた電動マッサージ機に於いて、前記振動発生部は電磁コイルとこの中に往復振動可能に納めた振動子と、電磁コイルに交番電流を供給する発振回路とから成り、前記ケーシングに直接的にまたは間接的に触れる身体を電磁コイルから発生する交番磁界に曝すべく、ケーシングが磁力線を透過するように構成されていることを特徴とする、磁気健康器兼用の電動マッサージ器。
【請求項２】
前記振動子が永久磁石である、請求項１に記載の磁気健康器兼用の電動マッサージ機。
【請求項３】
前記振動発生部を複数個備えている、請求項１に記載の磁気健康器兼用の電動マッサージ機。
【請求項４】
前記振動子が電磁コイルの外側に取り出されており、この取り出された部位に重錘が設けられている、請求項１に記載の磁気健康器兼用の電動マッサージ機。
【請求項５】
前記重錘が磁石であってこの磁石から発生すると共に往復振動する磁界に身体が曝されるように設けられている、請求項４に記載の磁気健康器兼用の電動マッサージ機。
【請求項６】
前記ケーシングの身体に接触する部位の形状が凸形状を呈している、請求項１に記載の電動マッサージ機。
【請求項７】
前記ケーシングの身体に接触する部位の形状が凹形状を呈している、請求項１に記載の電動マッサージ機。
【考案の詳細な説明】
【技術分野】
【０００１】  この考案は身体の各部をマッサージするための電動マッサージ器に係り、特に健康目的で磁気を身体に当てることが出来るように往復方向のリニア振動を行なう電動マッサージ器に関するものである。【０００２】  なおこの考案の用途は多岐に亘り、ハンディータイプの電動マッサージ器の他にも、肩叩き器、マッサージチェア、褥瘡防止マット、バイブレータ機能付きの介護用ベッド、マッサージ枕などを一例として上げる。また衣類などのアタッチメントとしての用途もある。
【背景技術】
【０００３】  従来よりモータとその回転軸に設けた分銅とから成る振動発生部の前記モータを持ち手側に設けると共に前記分銅をマッサージヘッド側に設けて成るマッサージ機が各種提案されている。例えば特開平９−１７３４０５号の手持式電動マッサージ機は、取手ケースに連結ばねを介して振動ヘッドを連結させ、患部に当てるローラを振動ヘッドに回転可能に支承したものである。これにより振動ヘッドをローラを介して患部に当てた時にローラが回転するため、振動ヘッドを患部に当てたままでも快適に移動させることができるようになっている。また例えば特開２００１−２５８９７４号のマッサージ兼用電動洗髪ブラシは、モータを内蔵したケーシングに弾性部材を介して振動ヘッドを設け、該振動ヘッド内に前記モータのモータ軸を突設し、該モータ軸に振動子を偏心して取り付け、更に該振動ヘッドの一側面に柔軟物質から成るブラシを取り付けたものである。これによって頭部をマッサージして毛細血行を増進させ、ブラシを用いた洗髪と同時に毛穴の脂垢を除去することができるようになっている。【０００４】  前記モータは一般的に、回転軸の軸周りに２回対称、３回対称等々に設けられたヨークにコイルが捲回され、このヨークを外側から覆うように永久磁石が配設され、鉄製のケーシングによって前記回転軸を軸支すると共に全体を覆ったものとされている。
【特許文献１】特開平９−１７３４０５号公報
【特許文献２】特開２００１−２５８９７４号公報
【考案の開示】
【考案が解決しようとする課題】
【０００５】  ところで身体にテーピングによりフェライト磁石や希土類磁石などの永久磁石を貼り付けると言う磁気治療器が市販されて多くの愛好者を獲得している。このものは磁石から出る磁力線に血流を通過させることによってフレミングの右手の法則で表されるような電流が血流中に発生すると言うものである。そして磁石から出る磁力線には磁気治療の効果があるとされている。【０００６】  そこで当考案者は、電動マッサージ器に用いられているモータや永久磁石が磁力線を発していること、この磁力線を健康目的で身体に当てることが出来るのではないかと言う知見を得た。しかしながら確かにコイルから磁力線が出ているものの、回転するモータが一定の箇所に静止していると磁力を及ぼせる範囲は、恰も磁気治療器が貼り付けられているのと同じようにそのスポットに限定されてしまうし、何よりもコイルや磁石からの磁力線が鉄製のケーシングで遮蔽されてしまうと言う問題がある。【０００７】  そこでこの考案は上述したような問題を解決して、何よりも身体に磁力を当てられるようにすると共に、より広い範囲に磁力線を及ぼし得るようにして、全く新しい磁気健康器兼用の電動マッサージ器を提供することを課題とするものである。
【課題を解決するための手段】
【０００８】  上記課題は、ケーシング内に振動発生部を設けた電動マッサージ機に於いて、前記振動発生部は電磁コイルとこの中に往復振動可能に納めた振動子と、電磁コイルに交番電流を供給する発振回路とから成り、前記ケーシングに直接的にまたは間接的に触れる身体を電磁コイルから発生する交番磁界に曝すべく、ケーシングが磁力線を透過するように構成されていることを特徴とする、電動マッサージ機とすることにより達成される。なお１つの振動発生部を構成する電磁コイルと振動子との組数を複数組とすることが出来る。【０００９】  振動子は電磁コイルの中で往復振動を行なってバイブレーションを発生する。従ってケーシングも振動し、これに直接的にまたは間接的に触れる身体に対してマッサージの効果がある。この振動発生の際に比較的に静音であることも特長として上げることが出来る。またこの時、電磁コイルから発生する交番磁界や往復振動を行なっている振動子から発生する磁力線が、ケーシングを透過して身体に及び、この部位に対して磁気治療の効果を与える。一般的なプラスチック素材のものであればこの考案のケーシングとして使用し得る。或いはシリコンゴム等も使用可能である。【００１０】  ここで特筆すべきは、振動子から発生する磁力線が振動子が往復方向のリニア振動を行なっていることにより、スポット的にではなく往復運動する範囲に広範に及ぶことである。【００１１】  次に、前記振動子が永久磁石であるものとすることが出来る。振動子を電磁石で構成することも可能であるが、永久磁石であると給電の必要がなく給電のための接点やブラシ等の不安定な機構が不要であると言う利点がある。【００１２】  次に、一つのケーシング内に前記振動発生部を複数個備えているものとすることが出来る。これは身体の複数箇所を同時にマッサージするのに都合が良い構成である。或いは身体への当りがソフトであったりハードであったり、分散的であったり集中的であったりと、異なる性質の箇所を複数箇所設ける場合にも好都合である。或いはまた複数個の振動発生部の各々で振動方向が異なるように配置することも可能である。【００１３】  次に、前記振動子の一部分が電磁コイルの外側に取り出されており、この取り出された部位に重錘が設けられているものとすることが出来る。電磁コイルの内側に納められる振動子にはスペースの関係であまり大きなものが使用出来ない。そこで振動子の一部を電磁コイルの外側に取り出してこれに重錘を設けることによって、より大きな慣性力を利用することが可能となる。【００１４】  この場合、前記重錘を磁石にして、この磁石から発生すると共に往復振動する磁界に、身体が曝されるように設けることが出来る。重錘は振動を強いものにするが、同時に磁石でありここから出る磁力線がスポット的にではなく往復運動する範囲に広範に及ぶことから、更なる磁気治療の効果が期待出来る。【００１５】  次に、この考案のケーシングの身体に接触する部位の形状が凸形状を呈しているものとすることが出来る。この凸形状の部位で肩や背中などの刺激を与えたい部位を押すのである。凸形状であることから身体要部を押しやすいと言う効果を奏する。また、前記ケーシングの身体に接触する部位の形状が凹形状を��しているものとすることが出来る。例えば凹形状が足形であれば、ここに足を置くことで足裏等の部位をマッサージすることが出来る。或いは首を納める凹形状部分を有する枕にも構成し得る。【００１６】  このようであるから、マッサージする身体部位に適合する形態のものを幾つも用意しておき、必要に応じて交換して使えるように構成することも好ましい。
【考案の効果】
【００１７】  この考案によれば、振動子に往復方向のリニア振動を行なわせることで、磁力線の効果をより広い範囲に及ぼすことが出来ることから、より良い健康増進作用が得られる。これはケーシングが磁力線を透過するように構成されていることによってもたらされるものである。なおリニア振動発生装置は比較的に静音であることも特長である。
【考案を実施するための最良の形態】
【００１８】  第１実施形態
図１及び図２はこの考案の第１実施形態の電動マッサージ機である。図１で示すようにこの電動マッサージ機１は、透磁性の周壁部２０と両側の側壁部２１，２１とから成る円筒形のバイブレータ２の周囲を透磁性のソフトケース１０で覆ったものである。従ってバイブレータ２の内部で発生した磁力線Ｍは周壁部２０とソフトケース１０とを透過して、ソフトケース１０に触れる身体に影響を及ぼすようになっている。なお後述するように磁力線Ｍは交番磁界を形成する。【００１９】  前記バイブレータ２の構成は次のようになっている。すなわち前記両側の側壁部２１，２１は各々その中心部にシャフト２３を通す軸受け２２が設けられていると共に、内側には後述する磁力バネ５，５０が固定されている。また前記周壁部２０の中央部の内側には前記シャフト２３を通す中心孔が開いたヨーク３とその外周部に捲回された電磁コイル３０とが、この電磁コイル３０の外周部で固定されている。更にこのこの電磁コイル３０とその両側の磁力バネ５，５０との間には永久磁石４，４０が、永久磁石４，４０の中心孔に通した前記シャフト２３に固定されている。なおこの実施形態では永久磁石４，４０は何れも前記ヨーク３に向かう側がＳ極となるように配設されている。また前記磁力バネ５，５０の極性はこの実施形態では前記永久磁石４，４０に向かう側がＮ極となるように配設されている（図１）。【００２０】  このバイブレータ２の駆動部は図２のブロック図で表すように、マッサージ目的の低周波振動を発生する発振部３１と、この発振部３１の出力端に接続された前記電磁コイル３０と、発振周波数を設定するための操作部３３と、電源のＯＮ／ＯＦＦ状態や発振周波数などを表示する表示部３４と、これ等に電力を供給する電力供給部３２とから構成されている。前記電力供給部３２はこの実施形態では家庭用電源に接続するアダプターである。なお前記操作部３３での発振周波数の設定に関して、身体に心地良いと感じる振動数に設定可能である。この心地良いと感じる振動数は個人によって異なるものであり、身体部位によっても違いがあり、またその時の気分により感じ方が異なるものである。また交番磁界に曝された身体の血流に良い影響を与える振動数に設定可能である。これにもまた個人差があるので、前記操作部３３にて最適となるように調整すれば良く、この時の周波数は表示部３４に表示されるので、これを覚えておくようにするのも一手である。【００２１】  さて前記操作部３３のスイッチをＯＮ状態にすると発振部３１が交番電流を発生し、これが前記電磁コイル３０に供給されて電磁コイル３０は前記ヨーク３を通る磁力線Ｍを発生する。このヨーク３の両側に磁極Ｎと磁極Ｓとが交替で現われる。この時の様子を図１に付いて説明すると、磁極Ｎになった側のヨーク３と永久磁石４のＳ極とが引き合うと共に、磁極Ｓになった側のヨーク３と永久磁石４のＳ極とが反発し合うため、前記シャフト２３は図１の右方向（矢線方向）へ移動する。しかしながらこの次の瞬間には前記電磁コイル３０のヨーク３の磁極は逆転するため、今度は前記シャフト２３は図１の左方向へ移動する。このようにしてシャフト２３に振動が発生する。この際に前記永久磁石４，４０は自らの重量によって慣性力を高める。なお前記シャフト２３が右方向へ動く場合でも左方向へ動く場合でも、前記永久磁石４のＮ極と前記磁力バネ５のＮ極とが反発し合い、また前記前記永久磁石４０のＮ極と前記磁力バネ５０のＮ極とが反発し合うため、シャフト２３が左右に振れ過ぎると言うことは起らない。このようにして電気マッサージ機１に振動が発生する。【００２２】  第２実施形態
図３はこの考案の第２実施形態の電動マッサージ機１１である。上述した第１実施形態の電動マッサージ機１とは次の点で異なっている。すなわち図３で表すように左側の側壁部２１の外側に磁力線を透過させない遮蔽板２６が設けられており、このシャフト２５がこの遮蔽板２６を軸受けとして左方へ延設され、この先端部分に円柱形状の重錘磁石５１が固定されてバイブレータ２４が構成されており、この周囲は磁力線を透過するハードケース１２で覆われている。その他の構成は第１実施形態に倣う。【００２３】  こうしてバイブレータ２４が振動すると重錘磁石５１の重量によって慣性力の強い振動が得られる。またバイブレータ２４の内部で発生した磁力線Ｍは周壁部２０とハードケース１２とを透過して、ハードケース１２に触れる身体に影響を及ぼす。更にこの実施形態では前記重錘磁石５１で発生した磁力線Ｍがハードケース１２を透過して身体に影響を及ぼす。こうしてこの電動マッサージ機１１が当られた身体部位に磁力線Ｍ，Ｍを及ぼすことが出来るのであるが、特に振動する重錘磁石５１はその磁力的な影響範囲を広げることに役立っている。なおこの重錘磁石５１から出た磁力線Ｍは、前記遮蔽板２６が設けられていることによって永久磁石４０や磁力バネ５０への影響力が弱められるようになっている。【００２４】  第３実施形態
この実施形態の電動マッサージ機６は本体凸部６１と分岐凸部６２との２つの凸部を有し、これ等２つの凸部６１，６２によって身体のツボや快感スポットにマッサージ効果を与えようとするものである。【００２５】  このため本体凸部６１と分岐凸部６２とに上述の第２実施形態のバイブレータ２４を納めて、電池ボックス兼用のコントローラ６０との間をリード線によって配線して成る。従って各々のバイブレータ２４はこのコントローラ６０で振動数などの調節を行うことが出来る。本体凸部６１も分岐凸部６２も共にマッサージ効果があり、しかも２つのバイブレータ２４，２４から発生する交番磁界（図３で表した磁力線Ｍ）が各々の箇所で身体に良好な影響を与えるのである。【００２６】  第４実施形態
図５はこの考案の第４実施形態の足裏マッサージ機７を平面図で表したものである。この足裏マッサージ機７は台盤７１上に両足を置くための窪みである足置凹部７２が逆ハ字形状となるように設けられている。この足置凹部７２の底面部分には足裏イラスト７３が描かれている。この足裏イラスト７３は図５では煩雑となるのを避けてツボマップを表示していない。そして各々の足置凹部７２の裏側に２個ずつバイブレータ２，２が配設されている。またこのバイブレータ２，２のコントローラ７０が台盤７１の中央部に設けられている。【００２７】  この足裏マッサージ機７を使用するには、例えば椅子に腰掛けて床上に置いた台盤７１の２つの足置凹部７２の中に両足を置いてコントローラ７０のスイッチをＯＮにする。この際に左右２個ずつのバイブレータ２，２のどれをＯＮにするかや振動数などをコントローラ７０で決めることが出来る。このバイブレータ２は足裏に振動刺激を与えると共に、ここから発生する磁力線が足置凹部７２を透過するため足裏はこの健康目的の磁力線に曝されることになる。【００２８】  第５実施形態
図６はこの考案の第５実施形態の背腰マッサージ機８を平面図で表したものである。磁力線を透過し得るマットレス８１の中に４つのバイブレータ２を左右対称に配設して成るものである。上側（図中右側）のバイブレータ２は背中に当る部位に設けられており、下側（図中左側）のバイブレータ２は腰部に当る部位に設けられている。なお図中符号８０はこれ等のバイブレータ２のコントローラを差している。【００２９】  前記バイブレータ２をＯＮ状態にすると、バイブレータ２は背中や腰部に振動刺激を与える。また同時にバイブレータ２が発する磁力線がマットレス８１の表面を透過して背中や腰部に健康的な影響力を及ぼす。これによれば褥瘡防止にも効果が期待される。【００３０】  第６実施形態
この実施形態の腹部マッサージ機９は、これを健康ベルトとして着用した時に身体側に当る側が磁力線を透過し得るように構成されており、ベルト９０の内部の左右に各々４個ずつのバイブレータ２４が配設されている。この４つのバイブレータ２４は縦姿勢のものと横姿勢のものとで十字形状を呈している。なおこの腹部マッサージ機９のコントローラは図示していない。【００３１】  従って左右の腹筋や腹部脂肪に縦横方向の振動を加えてこれを鍛えることが可能である。またこの際にこの身体部位に磁力線を及ぼすことが出来る。【００３２】  第７実施形態
さて図８はこの考案の第７実施形態のバイブレータ２７である。上述した第１実施形態の電動マッサージ機１のバイブレータ２とは次の点で異なる。すなわち図８で表わすように２つの円筒形状の周壁部２８，２８の間にヨーク３５が挟み込まれており、このヨーク３５に電磁コイル３７が捲回されているため、ヨーク３５の一部と電磁コイル３７とは周壁部２８の外側に露出した構成である。前記ヨーク３５にはその両側面に円形の溝部３６が刻設されており、この溝部３６に前記周壁部２８が固定的に填め込まれている。なおこの他の構成は第１実施形態に倣うものである。【００３３】  前記電磁コイル３７に交番電流を印加するとバイブレータ２７が振動するが、この際にヨーク３５で発生した磁力線Ｍには周壁部２０を透過するものと、周壁部２８の外側に露出するヨーク３５の部位から直接的に出てくるものとの２種類が存在する。【００３４】  この実施形態のバイブレータ２７では、電磁コイル３７を周壁部２８の外側に配置することが出来るため、より強力な磁気回路を構成し得る点で優れている。なおヨークを周壁部の外側に露出させずに、ヨークのある周壁部の外側に、すなわち周壁部を介して電磁コイルを捲回した構成とすることも可能である。
【産業上の利用可能性】
【００３５】  この考案は上述した実施形態に限定されないから、どのようなマッサージ機としてこの考案を構成するかは自由である。身体に触れる部位の形状を猫の手を模した具象形状とするなどの工夫も面白い。また磁力の作用と併せてトルマリンやジルコニウムの作用を利用し得るように構成することが可能である。
【図面の簡単な説明】
【００３６】
【図１】  第１実施形態の電動マッサージ機の断面説明図である。
【図２】  同実施形態のバイブレータ駆動部のブロック図である。
【図３】  第２実施形態の電動マッサージ機の断面説明図である。
【図４】  第３実施形態の電動マッサージ機の側面図である。
【図５】  第４実施形態の足裏マッサージ機の平面図である。
【図６】  第５実施形態の背腰マッサージ機の平面図である。
【図７】  第６実施形態の腰部マッサージ機の正面図である。
【図８】  第７実施形態のバイブレータの断面説明図である。
【符号の説明】
【００３７】  １    電動マッサージ機
１０  ソフトケース
１１  電動マッサージ機
１２  ハードケース
２    バイブレータ
２０  周壁部
２１  側壁部
２２  軸受け
２３  シャフト
２４  バイブレータ
２５  シャフト
２６  遮蔽板
２７  バイブレータ
２８  周壁部
３    ヨーク
３０  電磁コイル
３１  発振部
３２  電力供給部
３３  操作部
３４  表示部
３５  ヨーク
３６  溝部
３７  電磁コイル
４    永久磁石
４０  永久磁石
５    磁力バネ
５０  磁力バネ
５１  重錘磁石
６    電動マッサージ機
６０  コントローラ
６１  本体凸部
６２  分岐凸部
７    足裏マッサージ機
７０  コントローラ
７１  台盤
７２  足置凹部
７３  足裏イラスト
８    背腰マッサージ機
８０  コントローラ
８１  マットレス
９    腹部マッサージ機
９０  ベルト
Ｎ    磁極Ｎ
Ｓ    磁極Ｓ
Ｍ    磁力線
【図１】
0003145008.tif 000003
【図２】
0003145008.tif 000004
【図３】
0003145008.tif 000005
【図４】
0003145008.tif 000006
【図５】
0003145008.tif 000007
【図６】
0003145008.tif 000008
【図７】
0003145008.tif 000009
【図８】
0003145008.tif 000010
【手続補正書】
【提出日】平成20年6月19日(2008.6.19)
【手続補正１】
【補正対象書類名】図面
【補正対象項目名】図７
【補正方法】変更
【補正の内容】
【図７】
0003145008.tif 000011